(57)【要約】【課題】光源の光軸と導光板の光軸との間に位置ずれが生じるのを抑制することができ、且つ、光源と配線基板との半田接続の信頼性を高めることができる表示装置を提供する。【解決手段】液晶パネル６と、液晶パネル６の背面６ａに向けて光を照射するバックライトユニット８と、を備え、バックライトユニット８は、ＬＥＤ３６と、ＬＥＤ３６が実装される配線基板３４と、ＬＥＤ３６からの光が側面２０ａに入射され、側面２０ａに入射した光を主面２０ｂから液晶パネル６に向けて出射する導光板２０と、ＬＥＤ３６を支持する第１の支持部５２及び導光板２０を支持する第２の支持部５４を有する支持部材２２と、を備え、支持部材２２は、第１の支持部５２がＬＥＤ３６を支持し且つ第２の支持部５４が導光板２０を支持する第１の位置と、第１の支持部５２がＬＥＤ３６から外れ且つ第２の支持部５４が導光板２０を支持する第２の位置との間を移動可能である。【選択図】図２
2014206603.tif 000002
【特許請求の範囲】
【請求項１】
表示パネルと、
前記表示パネルの背面に向けて光を照射するバックライトユニットと、を備え、
前記バックライトユニットは、
光を発する光源と、
前記光源が実装される配線基板と、
前記光源からの光が側面に入射され、前記側面に入射した光を主面から前記表示パネルの前記背面に向けて出射する導光板と、
前記光源を支持することにより前記光源の光軸を位置決めするための第１の支持部及び前記導光板を支持することにより前記導光板の光軸を位置決めするための第２の支持部を有する支持部材と、を備え、
前記支持部材は、前記第１の支持部が前記光源を支持し且つ前記第２の支持部が前記導光板を支持する第１の位置と、前記第１の支持部が前記光源から外れ且つ前記第２の支持部が前記導光板を支持する第２の位置との間を移動可能である
表示装置。
【請求項２】
前記光源は複数設けられており、
前記複数の光源は、前記配線基板の長手方向に沿って間隔を置いて配置され、
前記第１の支持部は、前記複数の光源の各々に対応して複数設けられ、
前記支持部材は、前記複数の光源の配列方向に対して略平行な方向に、前記第１の位置と前記第２の位置との間を移動可能であり、
前記複数の第１の支持部の各々は、前記支持部材が前記第２の位置に移動した際に、隣接する一対の前記光源の間に位置する
請求項１に記載の表示装置。
【請求項３】
前記複数の第１の支持部の各々の前記配線基板側における端面は、凸面状に構成されている
請求項２に記載の表示装置。
【請求項４】
前記複数の第１の支持部の各々の前記光源が支持される面には、光を反射する反射面が形成されている
請求項２又は３に記載の表示装置。
【請求項５】
前記光源は複数設けられており、
前記複数の光源は、前記配線基板の長手方向に沿って間隔を置いて配置され、
前記第１の支持部は、前記支持部材の前記複数の光源側における端部であり、
前記第２の支持部は、前記支持部材の前記導光板側における端部であり、
前記支持部材は、前記複数の光源の配列方向に対して略垂直な方向に、前記第１の位置と前記第２の位置との間を移動可能である
請求項１に記載の表示装置。
【請求項６】
前記第１の支持部の前記光源が支持される面のエッジ部の少なくとも一部は、傾斜面又はアール面で構成されている
請求項１〜５のいずれか１項に記載の表示装置。
【請求項７】
表示パネルと、
前記表示パネルの背面に向けて光を照射するバックライトユニットと、を備え、
前記バックライトユニットは、
光を発する光源と、
前記光源が実装される配線基板と、
前記光源からの光が側面に入射され、前記側面に入射した光を主面から前記表示パネルの前記背面に向けて出射する導光板と、を備える表示装置の光軸調整方法であって、
第１の支持部及び第２の支持部を有する支持部材を第１の位置に位置させるステップと、
前記支持部材が前記第１の位置に位置している状態で、前記光源を前記第１の支持部に支持することにより、前記光源の光軸を位置決めするステップと、
前記第１の支持部が前記光源から外れるように、前記支持部材を前記第１の位置から前記第１の位置とは異なる第２の位置に移動させるステップと、
前記支持部材が前記第１の位置又は前記第２の位置に位置している状態で、前記導光板を前記第２の支持部に支持することにより、前記導光板の光軸を位置決めするステップと、を含む
表示装置の光軸調整方法。
【発明の詳細な説明】
【技術分野】
【０００１】
本発明は、画像を表示するための表示装置及び表示装置の光軸調整方法に関する。
【背景技術】
【０００２】
例えば液晶テレビジョン受像機等のように、表示パネルの背面に向けて光を照射するエッジライト方式のバックライトユニットを備えた表示装置が用いられている（例えば、特許文献１参照）。
【０００３】
図１３は、エッジライト方式のバックライトユニットを備えた、従来の表示装置の構成を示す要部断面図である。図示の表示装置１００では、表示パネル１０２の背面側にエッジライト方式のバックライトユニット１０４が設けられている。このバックライトユニット１０４は、複数のＬＥＤ（Ｌｉｇｈｔ  Ｅｍｉｔｔｉｎｇ  Ｄｉｏｄｅ）１０６、配線基板１０８、ヒートシンク１１０及び導光板１１２を備えている。複数のＬＥＤ１０６は、配線基板１０８上に間隔を置いて実装されている。ヒートシンク１１０は、リアキャビネット１１４に支持される放熱部１１６と、放熱部１１６の一端部から表示パネル１０２側に延びる取付部１１８と、を有している。放熱部１１６には、導光板１１２を支持するための支持部材１２０が取り付けられている。取付部１１８には、配線基板１０８が取り付けられている。複数のＬＥＤ１０６の各々は、導光板１１２の側面に対向して配置されている。
【０００４】
上述した従来の表示装置１００では、導光板１１２は、複数のＬＥＤ１０６の各々の光軸Ｃ１と導光板１１２の光軸Ｃ２とが一致するように、支持部材１２０との接触面でＺ軸方向に位置決めされている。
【先行技術文献】
【特許文献】
【０００５】
【特許文献１】特開２００９−１６３９１７号公報
【発明の概要】
【発明が解決しようとする課題】
【０００６】
しかしながら、図１３に示す従来の表示装置１００では、次のような課題が生じる。例えば、支持部材１２０のＺ軸方向における寸法のバラツキ又はＬＥＤ１０６のＺ軸方向における実装位置のバラツキが生じることにより、光軸Ｃ１と光軸Ｃ２との間に位置ずれが生じやすいという課題が生じる。光軸Ｃ１と光軸Ｃ２との間に生じる位置ずれが大きくなった場合には、表示パネル１０２における中心輝度が大きく低下する。
【０００７】
上述した課題を解決するために、例えば、図１４に示すような構成が考えられる。図１４は、エッジライト方式のバックライトユニットを備えた、比較例に係る表示装置の構成を示す要部断面図である。図１４に示す表示装置２００では、複数のＬＥＤ１０６及び導光板１１２はともに、放熱部１１６に取り付けられた同じ支持部材２２０に支持されている。これにより、複数のＬＥＤ１０６及び導光板１１２はともに、複数のＬＥＤ１０６の各々の光軸Ｃ１と導光板１１２の光軸Ｃ２とが一致するように、支持部材２２０との接触面でＺ軸方向に位置決めされる。従って、上述した寸法のバラツキ又は実装位置のバラツキが排除されるので、光軸Ｃ１と光軸Ｃ２との間に位置ずれが生じるのを抑制することができる。
【０００８】
しかしながら、図１４に示す比較例に係る表示装置２００では、次のような課題が生じる。複数のＬＥＤ１０６の各々は、半田接続により配線基板１０８上に実装されている。そのため、複数のＬＥＤ１０６の各々の側面が支持部材２２０に支持された状態が保持されることにより、半田接続部分２２２にせん断応力が作用しやすくなり、半田接続の信頼性が低下するおそれがある。
【０００９】
本発明は、上述した課題を解決しようとするものであり、その目的は、光源の光軸と導光板の光軸との間に位置ずれが生じるのを抑制することができ、且つ、光源と配線基板との半田接続の信頼性を高めることができる表示装置及び表示装置の光軸調整方法を提供することである。
【課題を解決するための手段】
【００１０】
上記目的を達成するために、本発明の一態様に係る表示装置は、表示パネルと、前記表示パネルの背面に向けて光を照射するバックライトユニットと、を備え、前記バックライトユニットは、光を発する光源と、前記光源が実装される配線基板と、前記光源からの光が側面に入射され、前記側面に入射した光を主面から前記表示パネルの前記背面に向けて出射する導光板と、前記光源を支持することにより前記光源の光軸を位置決めするための第１の支持部及び前記導光板を支持することにより前記導光板の光軸を位置決めするための第２の支持部を有する支持部材と、を備え、前記支持部材は、前記第１の支持部が前記光源を支持し且つ前記第２の支持部が前記導光板を支持する第１の位置と、前記第１の支持部が前記光源から外れ且つ前記第２の支持部が前記導光板を支持する第２の位置との間を移動可能である。
【００１１】
本態様によれば、支持部材が第１の位置に位置している際に、第１の支持部が光源を支持する。また、支持部材が第１の位置又は第２の位置に位置している際に、第２の支持部が導光板を支持する。このように光源及び導光板がともに同じ支持部材に支持されるので、光源の光軸と導光板の光軸とが一致するように、光源の光軸及び導光板の光軸の各々を位置決めすることができる。従って、光源の光軸と導光板の光軸との間に位置ずれが生じるのを抑制することができる。さらに、光源の光軸の位置決めを行った後に、支持部材を第１の位置から第２の位置に移動させることにより、第１の支持部が光源から外れる。これにより、光源と配線基板との半田接続部分にせん断応力が作用するのを抑制することができ、半田接続の信頼性を高めることができる。
【００１２】
例えば、本発明の一態様に係る表示装置において、前記光源は複数設けられており、前記複数の光源は、前記配線基板の長手方向に沿って間隔を置いて配置され、前記第１の支持部は、前記複数の光源の各々に対応して複数設けられ、前記支持部材は、前記複数の光源の配列方向に対して略平行な方向に、前記第１の位置と前記第２の位置との間を移動可能であり、前記複数の第１の支持部の各々は、前記支持部材が前記第２の位置に移動した際に、隣接する一対の前記光源の間に位置するように構成してもよい。
【００１３】
本態様によれば、支持部材の移動方向を、複数の光源の配列方向に対して略平行な方向とすることができる。
【００１４】
例えば、本発明の一態様に係る表示装置において、前記複数の第１の支持部の各々の前記配線基板側における端面は、凸面状に構成されているように構成してもよい。
【００１５】
本態様によれば、複数の第１の支持部の各々の配線基板側における端面は凸面状に構成されているので、複数の第１の支持部の各々と光源との接触面積は比較的小さくなる。これにより、支持部材を第１の位置から第２の位置に移動させた際に、複数の第１の支持部の各々と光源との間に生じる摩擦力を小さく抑えることができる。その結果、当該摩擦力によって光源と配線基板との半田接続部分にせん断応力が作用するのを抑制することができる。
【００１６】
例えば、本発明の一態様に係る表示装置において、前記複数の第１の支持部の各々の前記光源が支持される面には、光を反射する反射面が形成されているように構成してもよい。
【００１７】
本態様によれば、複数の第１の支持部の各々の光源が支持される面には光を反射する反射面が形成されているので、光源からの光の一部は、反射面で反射された後に導光板の側面に入射する。これにより、隣接する一対の光源の間における輝度が低下するのを抑制することができる。その結果、表示パネルにおける輝度が部分的に大きくなる現象、いわゆるホットスポット現象の発生を抑制することができる。
【００１８】
例えば、本発明の一態様に係る表示装置において、前記光源は複数設けられており、前記複数の光源は、前記配線基板の長手方向に沿って間隔を置いて配置され、前記第１の支持部は、前記支持部材の前記複数の光源側における端部であり、前記第２の支持部は、前記支持部材の前記導光板側における端部であり、前記支持部材は、前記複数の光源の配列方向に対して略垂直な方向に、前記第１の位置と前記第２の位置との間を移動可能であるように構成してもよい。
【００１９】
本態様によれば、支持部材の移動方向を、複数の光源の配列方向に対して略垂直な方向とすることができる。
【００２０】
例えば、本発明の一態様に係る表示装置において、前記第１の支持部の前記光源が支持される面のエッジ部の少なくとも一部は、傾斜面又はアール面で構成されているように構成してもよい。
【００２１】
本態様によれば、第１の支持部の光源が支持される面のエッジ部の少なくとも一部は、傾斜面又はアール面で構成されているので、エッジ部が光源と配線基板との半田接続部分に接触するのを抑制することができる。
【００２２】
本発明の一態様に係る表示装置の光軸調整方法は、表示パネルと、前記表示パネルの背面に向けて光を照射するバックライトユニットと、を備え、前記バックライトユニットは、光を発する光源と、前記光源が実装される配線基板と、前記光源からの光が側面に入射され、前記側面に入射した光を主面から前記表示パネルの前記背面に向けて出射する導光板と、を備える表示装置の光軸調整方法であって、第１の支持部及び第２の支持部を有する支持部材を第１の位置に位置させるステップと、前記支持部材が前記第１の位置に位置している状態で、前記光源を前記第１の支持部に支持することにより、前記光源の光軸を位置決めするステップと、前記第１の支持部が前記光源から外れるように、前記支持部材を前記第１の位置から前記第１の位置とは異なる第２の位置に移動させるステップと、前記支持部材が前記第１の位置又は前記第２の位置に位置している状態で、前記導光板を前記第２の支持部に支持することにより、前記導光板の光軸を位置決めするステップと、を含む。
【００２３】
本態様によれば、支持部材が第１の位置に位置している状態で、光源を第１の支持部に支持させる。また、支持部材が第１の位置又は第２の位置に位置している状態で、導光板を第２の支持部に支持させる。このように光源及び導光板をともに同じ支持部材に支持させるので、光源の光軸と導光板の光軸とが一致するように、光源の光軸及び導光板の光軸の各々を位置決めすることができる。従って、光源の光軸と導光板の光軸との間に位置ずれが生じるのを抑制することができる。さらに、光源の光軸の位置決めを行った後に、支持部材を第１の位置から第２の位置に移動させることにより、第１の支持部が光源から外れる。これにより、光源と配線基板との半田接続部分にせん断応力が作用するのを抑制することができ、半田接続の信頼性を高めることができる。
【発明の効果】
【００２４】
本発明の一態様に係る表示装置及び表示装置の光軸調整方法によれば、光源の光軸と導光板の光軸との間に位置ずれが生じるのを抑制することができ、且つ、光源と配線基板との半田接続の信頼性を高めることができる。
【図面の簡単な説明】
【００２５】
【図１】本発明の実施の形態１に係る表示装置の正面側を示す斜視図である。
【図２】支持部材が第２の位置に位置している状態での、図１中のＡ−Ａ線により切断した表示装置の要部断面図である。
【図３】図２のバックライトユニットを示す要部斜視図である。
【図４】図２のバックライトユニットの一部を分解して示す要部斜視図である。
【図５】支持部材が第２の位置に位置している状態での、図３中のＢ−Ｂ線により切断したバックライトユニットの要部断面図である。
【図６】支持部材が第１の位置に位置している状態での、図３中のＢ−Ｂ線により切断したバックライトユニットの要部断面図である。
【図７】支持部材が第１の位置に位置している状態での、図１中のＡ−Ａ線により切断した表示装置の要部断面図である。
【図８】本発明の実施の形態１に係る表示装置の光軸調整方法の流れを示すフローチャートである。
【図９】本発明の実施の形態２に係る表示装置の支持部材を示す斜視図である。
【図１０】本発明の実施の形態３に係る表示装置のバックライトユニットを示す要部断面図である。
【図１１】支持部材が第２の位置に位置している状態での、本発明の実施の形態４に係る表示装置のバックライトユニットを示す要部断面図である。
【図１２】支持部材が第１の位置に位置している状態での、本発明の実施の形態４に係る表示装置のバックライトユニットを示す要部断面図である。
【図１３】エッジライト方式のバックライトユニットを備えた、従来の表示装置の構成を示す要部断面図である。
【図１４】エッジライト方式のバックライトユニットを備えた、比較例に係る表示装置の構成を示す要部断面図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［表示装置の基本的構成］
まず、図１〜図７を参照しながら、本発明の実施の形態１に係る表示装置の構成について説明する。図１は、本発明の実施の形態１に係る表示装置を示す斜視図である。図２は、支持部材が第２の位置に位置している状態での、図１中のＡ−Ａ線により切断した表示装置の要部断面図である。図３は、図２のバックライトユニットを示す要部斜視図である。図４は、図２のバックライトユニットの一部を分解して示す要部斜視図である。図５は、支持部材が第２の位置に位置している状態での、図３中のＢ−Ｂ線により切断したバックライトユニットの要部断面図である。図６は、支持部材が第１の位置に位置している状態での、図３中のＢ−Ｂ線により切断したバックライトユニットの要部断面図である。図７は、支持部材が第１の位置に位置している状態での、図１中のＡ−Ａ線により切断した表示装置の要部断面図である。
【００２８】
図１及び図２に示すように、本実施の形態の表示装置２は、筐体４と、筐体４の内部に設けられた液晶パネル６（表示パネルを構成する）及びバックライトユニット８と、を備えている。なお、本実施の形態の表示装置２は、エッジライト方式のバックライトユニット８を備える液晶テレビジョン受像機である。
【００２９】
筐体４は、フロントキャビネット１０及びリアキャビネット１２が相互に組み合わされることにより構成されている。フロントキャビネット１０は額縁状に構成され、液晶パネル６の外周部を覆っている。リアキャビネット１２は、液晶パネル６の背面６ａに対向して配置されている。リアキャビネット１２には、液晶パネル６を配置するための矩形状の開口部１２ａが設けられている。リアキャビネット１２には、さらに、筐体４を下方より支持するためのスタンド１４が取り付けられている。
【００３０】
図２〜図４に示すように、バックライトユニット８は、ヒートシンク１６、ＬＥＤバー１８、導光板２０及び支持部材２２を有している。
【００３１】
ヒートシンク１６は、平板状の放熱部２４と、放熱部２４の一端部から液晶パネル６側に略垂直に延びる取付部２６と、を有している。すなわち、ヒートシンク１６の断面形状は、略Ｌ字状である。放熱部２４は、複数のネジ（図示せず）によりリアキャビネット１２の内面に締結されている。図２及び図４に示すように、放熱部２４の導光板２０側における面には、一対の長孔２８ａ，２８ｂが設けられている。一対の長孔２８ａ，２８ｂの各々は、複数のＬＥＤ３６（後述する）の配列方向（すなわち、Ｙ軸方向）に対して略平行に且つ直線状に延びている。これら一対の長孔２８ａ，２８ｂにはそれぞれ、支持部材２２に設けられた一対の突起６２ａ，６２ｂ（後述する）が移動自在に嵌め合わされている。放熱部２４には、さらに、貫通孔３０が設けられている。この貫通孔３０には、支持部材２２を放熱部２４に固定するためのネジ３２が挿入される。なお、ヒートシンク１６は、熱伝導性の高い金属、例えばアルミニウム等で形成されている。
【００３２】
ＬＥＤバー１８は、配線基板３４と、配線基板３４上に半田接続により実装された複数のＬＥＤ３６（複数のＬＥＤ３６の各々は光源を構成する）と、を有している。配線基板３４は、長尺状の板状に構成されており、熱伝導性を有する両面テープ（図示せず）を介してヒートシンク１６の取付部２６に取り付けられている。なお、配線基板３４は、熱伝導性の高い金属、例えばアルミニウム等で形成されている。複数のＬＥＤ３６は、配線基板３４の長手方向に沿って一列に且つ間隔を置いて配置されている。なお、複数のＬＥＤ３６の各々は、例えばチップ型のＬＥＤである。
【００３３】
導光板２０は、放熱部２４に移動可能に取り付けられた支持部材２２に支持されている。なお、支持部材２２の構成については後述する。導光板２０の背面には、光を反射するための反射シート３８が取り付けられている。導光板２０の側面２０ａは、複数のＬＥＤ３６の各々に対向して配置されている。導光板２０の主面２０ｂ（すなわち、上記背面とは反対側の面）は、液晶パネル６の背面６ａに対向して配置されている。
【００３４】
導光板２０の主面２０ｂには、相互に重ね合わされた拡散シート４０及びレンズシート４２が取り付けられている。拡散シート４０は、導光板２０の主面２０ｂから出射した光を拡散させるための光学シートである。レンズシート４２は、拡散シート４０により拡散された光を液晶パネル６の背面６ａに導くための光学シートである。
【００３５】
複数のＬＥＤ３６の各々が点灯されることにより、複数のＬＥＤ３６の各々からの光は、導光板２０の側面２０ａに入射する。導光板２０の側面２０ａに入射した光は、導光板２０の内部を伝播して反射シート３８で反射された後に、主面２０ｂから出射する。主面２０ｂから出射した光は、拡散シート４０及びレンズシート４２をそれぞれ通過した後に、液晶パネル６の背面６ａに入射する。液晶パネル６の背面６ａに光が照射されることにより、液晶パネル６に画像が表示される。
【００３６】
なお、複数のＬＥＤ３６の各々が点灯されることにより、複数のＬＥＤ３６の各々は発熱する。複数のＬＥＤ３６の各々からの熱は、配線基板３４、両面テープ及び取付部２６を介して放熱部２４に伝達される。放熱部２４に伝達された熱は、空気中に放熱される。
【００３７】
図２に示すように、リアキャビネット１２の開口部１２ａには、液晶パネル６の外周部をその背面６ａ側より支持するためのセルガイド４４が配置されている。セルガイド４４は、例えば、額縁状に構成されている。セルガイド４４のリアキャビネット１２側における面には第１のリブ４６が設けられ、セルガイド４４の液晶パネル６側における面には第２のリブ４８が設けられている。第１のリブ４６は、リアキャビネット１２側に向けて突出し、第２のリブ４８は、液晶パネル６側に向けて突出している。第１のリブ４６は、導光板２０とセルガイド４４との間に拡散シート４０及びレンズシート４２の各々の厚みの合計分だけ隙間を形成するためのものである。これにより、拡散シート４０及びレンズシート４２の各々の外周部は、セルガイド４４と導光板２０との間に挟持される。第２のリブ４８は、セルガイド４４とベゼル５０（後述する）との間に液晶パネル６の厚みの分だけ隙間を形成するためのものである。
【００３８】
液晶パネル６は矩形状に構成され、その外周部は、セルガイド４４の内周部（すなわち、セルガイド４４の第２のリブ４８より内側の部位）に支持されている。液晶パネル６の外周部は、ベゼル５０によって覆われている。ベゼル５０は、例えば額縁状に構成されており、複数のネジ（図示せず）によりセルガイド４４に固定されている。これにより、液晶パネル６の外周部は、ベゼル５０とセルガイド４４との間に挟持される。
【００３９】
なお、フロントキャビネット１０は、ベゼル５０及びセルガイド４４を覆うようにして、複数のネジ（図示せず）によりリアキャビネット１２に取り付けられている。
【００４０】
［表示装置の特徴的構成］
次に、本実施の形態の表示装置２の特徴的な構成である、支持部材２２について詳細に説明する。図２〜図４に示すように、支持部材２２は、放熱部２４に移動可能に取り付けられている。支持部材２２は、複数の第１の支持部５２及び第２の支持部５４を有している。複数の第１の支持部５２の各々は、ＬＥＤ３６の側面を支持することにより、ＬＥＤ３６の光軸Ｃ１をＺ軸方向（すなわち、表示装置２の厚み方向）において位置決めするためのものである。第２の支持部５４は、導光板２０のＬＥＤバー１８側の端部を支持することにより、導光板２０の光軸Ｃ２をＺ軸方向において位置決めするためのものである。なお、導光板２０の残りの端部は、放熱部２４に取り付けられ且つ支持部材２２のＺ軸方向における高さと同じ高さを有する支持台（図示せず）に支持されている。
【００４１】
第２の支持部５４は、Ｙ軸方向に延びる長尺状の板状に構成されている。複数の第１の支持部５２の各々は、第２の支持部５４の側面からＬＥＤバー１８に向けて延びている。複数の第１の支持部５２は、複数のＬＥＤ３６に対応して間隔を置いて配置されている。なお、複数の第１の支持部５２の各々のＹ軸方向における大きさは、隣接する一対のＬＥＤ３６の離間距離以下である。
【００４２】
本実施の形態では、複数の第１の支持部５２の各々の配線基板３４側における端面は、平面状に構成されている。複数の第１の支持部５２の各々のＬＥＤ３６が支持される面のエッジ部５６のうち、配線基板３４とＬＥＤ３６との半田接続部分５８に最も近い部位は、傾斜面で構成されている。これにより、エッジ部５６が半田接続部分５８に接触するのを抑制することができる。
【００４３】
なお、複数の第１の支持部５２及び第２の支持部５４の各々のＺ軸方向における高さは、同一の高さである。さらに、当該高さは、複数のＬＥＤ３６の各々を第１の支持部５２に支持させ且つ導光板２０を第２の支持部５４に支持させた際に、光軸Ｃ１と光軸Ｃ２とが一致するような高さに設定されている。
【００４４】
複数の第１の支持部５２及び第２の支持部５４は、樹脂の一体成形により形成されている。なお、支持部材２２は、反射率の比較的高い樹脂、例えば白色のポリカーボネート等で形成されている。これにより、複数の第１の支持部５２の各々のＬＥＤ３６が支持される面には、光を反射する反射面６０が形成されている。
【００４５】
図２及び図４に示すように、第２の支持部５４の放熱部２４側における面には、一対の突起６２ａ，６２ｂが設けられている。一対の突起６２ａ，６２ｂはそれぞれ、放熱部２４に設けられた一対の長孔２８ａ，２８ｂに移動自在に嵌め合わされている。一対の突起６２ａ，６２ｂはそれぞれ、一対の長孔２８ａ，２８ｂに沿って移動可能である。これにより、支持部材２２は、複数のＬＥＤ３６の配列方向に対して略平行な方向（すなわち、Ｙ軸方向）に、第１の位置と第２の位置との間を直線的にスライド移動可能である。すなわち、一対の長孔２８ａ，２８ｂ及び一対の突起６２ａ，６２ｂはそれぞれ、支持部材２２を上述したようにスライド移動させるための移動機構を構成する。
【００４６】
表示装置２が最終製品（完成品）である状態では、支持部材２２は、図２及び図５に示すように、第２の位置に位置している。支持部材２２が第２の位置に位置している際には、複数の第１の支持部５２の各々はＬＥＤ３６から外れ、且つ、第２の支持部５４は導光板２０を支持する。なお、本実施の形態において、複数の第１の支持部５２の各々がＬＥＤ３６から外れている状態とは、図５に示すように、複数の第１の支持部５２の各々が隣接する一対のＬＥＤ３６の間に位置している状態をいう。これにより、ＬＥＤ３６からの光の一部は、反射面６０で反射された後に導光板２０の側面２０ａに入射するので、複数のＬＥＤ３６からの光のＹ軸方向における輝度分布において、隣接する一対のＬＥＤ３６の間における輝度が低下するのを抑制することができる。その結果、液晶パネル６における輝度が部分的に大きくなる現象、いわゆるホットスポット現象の発生を抑制することができる。
【００４７】
一方、表示装置２の製造工程の途中の工程、例えば光軸調整工程（後述する）では、支持部材２２は、図６及び図７に示すように、第１の位置に位置している。支持部材２２が第１の位置に位置している際には、複数の第１の支持部５２の各々はＬＥＤ３６を支持し、且つ、第２の支持部５４は導光板２０を支持する。
【００４８】
なお、支持部材２２が第１の位置から第２の位置にスライド移動する際には、複数の第１の支持部５２の各々は、ＬＥＤ３６と接触しながらＹ軸方向に移動する。
【００４９】
第２の支持部５４の放熱部２４側における面には、さらに、ネジ３２をネジ止めするためのネジ孔６４が設けられている。ネジ３２が貫通孔３０を通してネジ孔６４にネジ止めされることにより、支持部材２２は、第２の位置に位置した状態で放熱部２４に固定される。
【００５０】
［表示装置の光軸調整方法］
次に、図８を参照しながら、本実施の形態の表示装置２の光軸調整方法について説明する。図８は、本発明の実施の形態１に係る表示装置の光軸調整方法の流れを示すフローチャートである。この光軸調整方法は、例えば、表示装置２の製造工程における光軸調整工程で行われる。この光軸調整工程では、複数のＬＥＤ３６の各々の光軸Ｃ１と導光板２０の光軸Ｃ２とが一致するように、光軸Ｃ１及び光軸Ｃ２がそれぞれＺ軸方向において位置決めされる。
【００５１】
まず、ＬＥＤバー１８及び導光板２０がそれぞれヒートシンク１６に取り付けられる前の状態において、図６及び図７に示すように、支持部材２２を第１の位置に位置させる（Ｓ１）。その後、複数のＬＥＤ３６の各々の側面を第１の支持部５２に支持させるようにして（Ｓ２）、配線基板３４を両面テープを介して取付部２６に取り付ける。これにより、複数のＬＥＤ３６の各々の光軸Ｃ１は、Ｚ軸方向において位置決めされる。
【００５２】
その後、支持部材２２が第１の位置に位置している状態で、導光板２０を第２の支持部５４に支持させる（Ｓ３）。これにより、導光板２０の光軸Ｃ２は、複数のＬＥＤ３６の各々の光軸Ｃ１と一致するようにして、Ｚ軸方向において位置決めされる。その後、支持部材２２を第１の位置から第２の位置にスライド移動させる（Ｓ４）。これにより、複数の第１の支持部５２の各々は、ＬＥＤ３６から外れて、隣接する一対のＬＥＤ３６の間に位置される。その後、ネジ３２を貫通孔３０を通してネジ孔６４にネジ止めすることにより、支持部材２２が第２の位置に位置した状態で放熱部２４に固定される（Ｓ５）。
【００５３】
なお、本実施の形態では、導光板２０を第２の支持部５４に支持させた後に、支持部材２２を第１の位置から第２の位置にスライド移動させたが、これとは反対に、支持部材２２を第１の位置から第２の位置にスライド移動させた後に、導光板２０を第２の支持部５４に支持させてもよい。
【００５４】
［効果］
次に、本実施の形態の表示装置２及び表示装置２の光軸調整方法により得られる効果について説明する。支持部材２２が第１の位置に位置している際に、複数のＬＥＤ３６の各々を第１の支持部５２に支持させる。また、支持部材２２が第１の位置又は第２の位置に位置している際に、導光板２０を第２の支持部５４に支持させる。このように複数のＬＥＤ３６の各々及び導光板２０をともに同じ支持部材２２に支持させるので、複数のＬＥＤ３６の各々の光軸Ｃ１と導光板２０の光軸Ｃ２とが一致するように、光軸Ｃ１及び光軸Ｃ２の各々がＺ軸方向において位置決めされる。これにより、光軸Ｃ１と光軸Ｃ２との間に位置ずれが生じるのを抑制することができる。
【００５５】
また、上述した位置決めを行った後に、支持部材２２を第１の位置から第２の位置にスライド移動させることにより、複数の第１の支持部５２の各々がＬＥＤ３６から外れる。これにより、ＬＥＤ３６と配線基板３４との半田接続部分５８にせん断応力が作用するのを抑制することができ、半田接続の信頼性を高めることができる。
【００５６】
（実施の形態２）
次に、図９を参照しながら、本発明の実施の形態２に係る表示装置の構成について説明する。図９は、本発明の実施の形態２に係る表示装置の支持部材を示す斜視図である。なお、以下に示す各実施の形態においては、上記実施の形態１と同一の構成要素には同一の符号を付して、その説明を省略する。
【００５７】
上記実施の形態１の支持部材２２では、複数の第１の支持部５２はそれぞれＹ軸方向において完全に分離していたが、本実施の形態の支持部材２２Ａでは、複数の第１の支持部５２ＡはそれぞれＹ軸方向において連続している。すなわち、支持部材２２ＡのＬＥＤバー１８側における端部には、Ｙ軸方向に間隔を置いて配置された複数の凹部６６が設けられており、第１の支持部５２Ａは、隣接する一対の凹部６６の間に形成されている。
【００５８】
従って、本実施の形態のような構成であっても、上記実施の形態１と同様の効果を得ることができる。
【００５９】
（実施の形態３）
次に、図１０を参照しながら、本発明の実施の形態３に係る表示装置の構成について説明する。図１０は、本発明の実施の形態３に係る表示装置のバックライトユニットを示す要部断面図である。
【００６０】
本実施の形態のバックライトユニット８Ｂの支持部材２２Ｂでは、複数の第１の支持部５２Ｂの各々の配線基板３４側における端面は、凸面状に構成されている。これにより、ＬＥＤ３６と第１の支持部５２Ｂとの接触面積は、上記実施の形態１と比べて小さくなる。従って、支持部材２２Ｂを第１の位置から第２の位置にスライド移動させた際に、ＬＥＤ３６と第１の支持部５２Ｂとの間に生じる摩擦力を小さく抑えることができる。その結果、当該摩擦力によってＬＥＤ３６と配線基板３４との半田接続部分５８にせん断応力が作用するのを抑制することができる。
【００６１】
（実施の形態４）
次に、図１１及び図１２を参照しながら、本発明の実施の形態４に係る表示装置の構成について説明する。図１１は、支持部材が第２の位置に位置している状態での、本発明の実施の形態４に係る表示装置を示す要部断面図である。図１２は、支持部材が第１の位置に位置している状態での、本発明の実施の形態４に係る表示装置を示す要部断面図である。
【００６２】
本実施の形態のバックライトユニット８Ｃの支持部材２２Ｃは、Ｙ軸方向に延びる長尺状の板状に構成されている。第１の支持部５２Ｃは、支持部材２２Ｃの複数のＬＥＤ３６側における端部である。第２の支持部５４Ｃは、支持部材２２Ｃの導光板２０における端部である。支持部材２２Ｃは、複数のＬＥＤ３６の配列方向に対して略垂直な方向（すなわち、Ｘ軸方向）に、第１の位置と第２の位置との間を直線的にスライド移動可能である。
【００６３】
なお、本実施の形態においても、上記実施の形態１で説明した移動機構と同様の移動機構（図示せず）が設けられている。但し、本実施の形態では、一対の長孔の各々は、複数のＬＥＤ３６の配列方向に対して略垂直な方向に且つ直線状に延びている。
【００６４】
図１１に示すように、支持部材２２Ｃが第２の位置に位置している際には、第１の支持部５２Ｃは複数のＬＥＤ３６から外れ、且つ、第２の支持部５４Ｃは導光板２０を支持する。なお、本実施の形態において、第１の支持部５２Ｃが複数のＬＥＤ３６から外れている状態とは、第１の支持部５２Ｃが導光板２０の下側に位置している状態をいう。
【００６５】
図１２に示すように、支持部材２２Ｃが第１の位置に位置している際には、第１の支持部５２Ｃは複数のＬＥＤ３６を支持し、且つ、第２の支持部５４Ｃは導光板２０を支持する。
【００６６】
従って、本実施の形態のような構成であっても、上記実施の形態１と同様の効果を得ることができる。
【００６７】
以上、本発明の実施の形態１〜４に係る表示装置及び表示装置の光軸調整方法について説明したが、本発明は、これらの実施の形態に限定されるものではない。例えば、上記各実施の形態をそれぞれ組み合わせるとしてもよい。
【００６８】
上記実施の形態１〜４では、表示装置が液晶テレビジョン受像機である場合について説明したが、表示装置は、液晶テレビジョン受信機以外に、例えばパーソナルコンピュータ用の液晶モニタ等でもよい。
【００６９】
上記実施の形態１及び２では、エッジ部の一部を傾斜面で構成したが、エッジ部の全部を傾斜面で構成してもよい。あるいは、傾斜面に代えて、エッジ部の少なくとも一部をアール面（すなわち、凸面状の曲面）で構成してもよい。
【００７０】
上記実施の形態１〜４では、配線基板を両面テープを介して取付部に取り付けたが、配線基板をネジ止めにより取付部に取り付けることもできる。
【００７１】
上記実施の形態１〜４では、支持部材をネジ止めにより放熱部に固定したが、例えば次のように構成してもよい。すなわち、長孔のＸ軸方向における幅が第１の端部から第２の端部にかけて徐々に狭くなるように、長孔の形状を構成する。これにより、突起が長孔の第１の端部から第２の端部に移動した際に、突起が塑性変形する。従って、支持部材が第１の位置から第２の位置に移動することにより、支持部材が第２の位置に位置した状態で放熱部に固定される。
【００７２】
上記実施の形態１〜４では、支持部材を移動させるための移動機構として、支持部材に一対の突起を設け、放熱部に一対の長孔を設けたが、これとは反対に、支持部材に一対の長孔を設け、放熱部に一対の突起を設けてもよい。なお、移動機構のタイプはこれに限定されず、種々のタイプを適用することができる。
【００７３】
上記実施の形態１〜４では、ＬＥＤをチップ型のＬＥＤで構成したが、これに限定されず、他の種類のＬＥＤで構成することもできる。
【産業上の利用可能性】
【００７４】
本発明の表示装置は、例えば、液晶テレビジョン受像機及びパーソナルコンピュータ用の液晶モニタ等として適用することができる。
【符号の説明】
【００７５】
２，１００，２００  表示装置
４  筐体
６  液晶パネル
６ａ  背面
８，８Ｂ，８Ｃ，１０４  バックライトユニット
１０  フロントキャビネット
１２，１１４  リアキャビネット
１２ａ  開口部
１４  スタンド
１６，１１０  ヒートシンク
１８  ＬＥＤバー
２０，１１２  導光板
２０ａ  側面
２０ｂ  主面
２２，２２Ａ，２２Ｂ，２２Ｃ，１２０，２２０  支持部材
２４，１１６  放熱部
２６，１１８  取付部
２８ａ，２８ｂ  長孔
３０  貫通孔
３２  ネジ
３４，１０８  配線基板
３６，１０６  ＬＥＤ
３８  反射シート
４０  拡散シート
４２  レンズシート
４４  セルガイド
４６  第１のリブ
４８  第２のリブ
５０  ベゼル
５２，５２Ａ，５２Ｂ，５２Ｃ  第１の支持部
５４，５４Ｃ  第２の支持部
５６  エッジ部
５８，２２２  半田接続部分
６０  反射面
６２ａ，６２ｂ  突起
６４  ネジ孔
６６  凹部
１０２  表示パネル
Ｃ１，Ｃ２  光軸
【図１】
2014206603.tif 000003
【図２】
2014206603.tif 000004
【図３】
2014206603.tif 000005
【図４】
2014206603.tif 000006
【図５】
2014206603.tif 000007
【図６】
2014206603.tif 000008
【図７】
2014206603.tif 000009
【図８】
2014206603.tif 000010
【図９】
2014206603.tif 000011
【図１０】
2014206603.tif 000012
【図１１】
2014206603.tif 000013
【図１２】
2014206603.tif 000014
【図１３】
2014206603.tif 000015
【図１４】
2014206603.tif 000016